(57)【要約】      （修正有）【課題】ネットワークを介した肌診断システムの利用に際して、専用の肌画像撮影装置を用いて常に一定の質の肌画像に基づく適切な診断サービスの提供をする。【解決手段】肌画像を撮像する撮像部（撮像手段２）と、記撮像部に取り付けられる、識別画像（識別コード）が形成されたカバー（キャリブレーション用キャップ）と、撮像部により撮像された肌画像、及び識別画像に基づくデータを外部装置（ネットワークサーバー）に送信するデータ送信部（データ出力手段５０）と、を備える肌画像撮像装置１を採用する。【選択図】図２
2016221238.tif 000002
【特許請求の範囲】
【請求項１】
肌画像を撮像する撮像部と、
前記撮像部に取り付けられる、識別画像が形成されたカバーと、
前記撮像部により撮像された前記肌画像、及び前記識別画像に基づくデータを外部装置に送信するデータ送信部と、を備える
肌画像撮像装置。
【請求項２】
紫外線を照射する紫外線照射部をさらに備え、
前記識別画像が、紫外線が照射されることで前記撮像部により撮像可能となるよう形成されている
請求項１に記載の肌画像撮像装置。
【請求項３】
前記撮像部の撮像対象となる肌及び前記識別画像は、前記撮像部に対して略等距離となる
請求項１または請求項２に記載の肌画像撮像装置。
【請求項４】
前記カバーには、キャリブレーション用画像がさらに形成されている
請求項１〜請求項３のいずれか１項に記載の肌画像撮像装置。
【請求項５】
肌画像撮像装置から肌画像、及び識別画像に基づくデータを受信する受信部と、
前記データに基づいて認証を行う認証部と、
前記認証部による認証が成功した場合に、前記肌画像に基づいて肌画像処理データを生成する肌画像処理部と、
前記肌画像処理データを前記肌画像撮像装置に送信する送信部と、を備える
情報処理装置。
【発明の詳細な説明】
【技術分野】
【０００１】
本発明の一態様は、肌診断システムに用いられる肌画像撮像装置などに関する。
【背景技術】
【０００２】
通信ネットワークを利用した肌の診断システムが知られている（特許文献１参照）。この診断システムでは、ネットワークを介して診断依頼端末と処理ホストとが接続されており、診断依頼者は診断依頼端末が備える画像撮影装置によって診断依頼者の肌の画像を撮影し、その画像データを診断依頼端末からネットワークに接続された処理ホストに送信する。処理ホストでは、受信した画像データに基づいて種々の観点から診断依頼者の肌の状態を診断し、その診断結果を診断依頼端末に送信する。
【先行技術文献】
【特許文献】
【０００３】
【特許文献１】特開２００２−３６６６５１号公報
【発明の概要】
【発明が解決しようとする課題】
【０００４】
このような肌診断システムは、診断依頼者が自宅に居ながら専門知識を有するカウンセラーによる肌診断を受けることができるカウンセリングサービスのために用いられ、寝起きや就寝前といった、外では診断が困難な時間帯での診断が可能であるとして注目されている。この際、カウンセラーは送られてきた肌の画像を基に診断を行うので、正確な診断を行うためには、送られてくる画像の画質が一定であることが求められる。このためには、一定画質の画像を取得できる専用の肌画像撮影装置を診断依頼者に提供することが望ましい。
【０００５】
しかしながら、肌画像撮影装置は、画像データを取得できる撮像手段と、取得した画像データをネットワーク経由で送信する送信手段とがあれば、処理ホスト側に肌の画像データを送信できるため、カウンセラーが求める質の高い画像を取得できない撮影装置を用いて処理ホスト側に画像データが送信されてくることがある。このような場合には、処理ホスト側で適正な診断サービスを行うことができないという課題が生じる。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一の手段は、
肌画像を撮像する撮像部（撮像手段２）と、
前記撮像部に取り付けられる、識別画像（識別コード２３２）が形成されたカバー（キャリブレーション用キャップ２２）と、
前記撮像部により撮像された前記肌画像、及び前記識別画像に基づくデータを外部装置（ネットワークサーバー１０）に送信するデータ送信部（データ出力手段５０）と、を備える
肌画像撮像装置（１）である。
【０００８】
上記構成の肌画像撮像装置によれば、外部端末としてカウンセラー側に配置されるネットワークサーバーに送信する肌画像の画像データに、識別画像（識別コード２３２）を付加して送信する機能を備える。これにより、カウンセラーのネットワークサーバーでは、識別画像により特定される識別情報を確認して、使用された肌画像撮像装置が一定の質の肌画像データを送信可能な肌画像撮像装置であるか否かを判定した上で、画像データを取得して適切な肌診断を行うことが可能となる。
【０００９】
上記肌画像撮像装置において、好ましくは、
紫外線を照射する紫外線照射部（紫外線照射手段７）をさらに備え、
前記識別画像が、紫外線が照射されることで前記撮像部により撮像可能となるよう形成されている。
【００１０】
上記構成の肌画像撮像装置によれば、通常状態では視認できず、紫外線を照射することで視認可能となる識別コードを備えることで、紫外線を照射することなく識別コードを確認することができなくなり、セキュリティ性を向上させることなどが可能となる。
【００１１】
上記肌画像撮像装置において、好ましくは、
前記撮像部の撮像対象となる肌及び前記識別画像（識別コード２３２）は、前記撮像部に対して略等距離となる。
【００１２】
上記構成の肌画像撮像装置によれば、撮像部のレンズから、肌の画像を取得する際と同じ距離に識別画像（識別コード２３２）が配されるため、同じフォーカス位置に、撮像対象の肌と識別画像とが位置することとなる。これにより、簡易な処理により肌の画像と、識別画像とを撮像することができる。
【００１３】
上記肌画像撮像装置において、好ましくは、
前記カバーには、キャリブレーション用画像がさらに形成されている。
【００１４】
上記構成の肌画像撮像装置によれば、撮像部のキャリブレーションを行いながら、同時に識別画像（識別コード２３２）を撮像して送信することなどが可能となる。
【００１５】
本発明の別の手段は、
肌画像撮像装置（１）から肌画像、及び識別画像に基づくデータを受信する受信部（受送信部１０１）と、
前記データに基づいて認証を行う認証部（１０２）と、
前記認証部による認証が成功した場合に、前記肌画像に基づいて肌画像処理データを生成する肌画像処理部（１０３）と、
前記肌画像処理データを前記肌画像撮像装置に送信する送信部（受送信部１０１）と、を備える
情報処理装置（ネットワークサーバー１０）である。
【００１６】
上記構成の情報処理装置によれば、肌画像撮像装置から肌画像及び識別画像（識別コード２３２）を受信する。これにより、情報処理装置（ネットワークサーバー１０）では、識別画像により特定される識別情報を確認して、使用された肌画像撮像装置が一定の質の肌画像データを送信可能な肌画像撮像装置であるか否かを判定した上で、画像データを取得して適切な肌診断を行うことが可能となる。
【図面の簡単な説明】
【００１７】
【図１】肌診断システムの構成例を示す図。
【図２】肌画像撮影装置の構成例を示す図。
【図３】ネットワークサーバーの構成例を示す図。
【図４】撮像手段の構成例を示す図。
【図５】キャリブレーション用キャップに印刷されたキャリブレーション板及び識別コードの具体例を示す図。
【図６】肌画像撮影装置における肌診断処理の具体例を示すフローチャート。
【図７】ネットワークサーバーにおける肌診断処理の具体例を示すフローチャート。
【図８】実施形態２の肌画像撮影装置の構成例を示す図。
【図９】実施形態２における紫外線を照射されていない状態のキャリブレーション板及び識別コードの具体例を示す図。
【図１０】実施形態２における紫外線を照射された状態のキャリブレーション板及び識別コードの具体例を示す図。
【図１１】実施形態２の肌画像撮影装置における肌診断処理の具体例を示すフローチャート。
【発明を実施するための形態】
【００１８】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）肌診断システムの構成例
（２）動作例
２．実施形態２
３．補足事項
【００１９】
＜１．実施形態１＞
本実施形態の肌診断システムの特徴のひとつは、肌画像撮影装置が備える撮像手段であるカメラのキャリブレーションに用いられるキャリブレーション用キャップに識別コードが印刷されている点である。肌画像撮影装置は、キャリブレーション時にこの識別コードを撮影してネットワークサーバーに送信し、ネットワークサーバーがこの識別コードに基づく認証を行う。このような認証を行うことで、ネットワークサーバーでは、使用された肌画像撮影装置が一定の質の肌画像データを送信可能な肌画像撮影装置であるか否かを判定した上で、画像データを取得して適切な肌診断を行うことを可能とする。以下、具体的に説明する。
【００２０】
＜（１）肌診断システムの構成例＞
図１は、肌診断システムの構成例を示す図である。図１に示されるように、肌診断システムは、複数セットの肌画像撮影装置１及び診断依頼端末６と、ネットワークＮと、ネットワークサーバー１０とを含んで構成される。肌画像撮影装置１と診断依頼端末６とは、ネットワークＮを介して、ネットワークサーバー１０に有線通信または無線通信により接続される。なお、肌画像撮影装置１と診断依頼端末６とのセットは、一の装置により構成されてもよい。
【００２１】
＜肌画像撮影装置１＞
図２は、本実施形態の肌画像撮影装置１の機能を説明するブロック図である。図１に示されるように、肌画像撮影装置１は、撮像手段２、照明手段３、メモリ４、演算処理手段５などを含んで構成される。肌画像撮影装置１は、診断依頼端末６に有線または無線で接続された装置であり、ＰＣの周辺機器のような位置付けである。
【００２２】
＜撮像手段２＞
撮像手段２（撮像部）は、撮影対象となるユーザの肌で反射された光を結像する結像光学系、及びこの結像光学系の結像位置に受光面を有するＣＭＯＳやＣＣＤなどの撮像素子を備え、撮影した肌画像を静止画として出力するよう構成される。撮像手段２は、いわゆるカメラである。また、撮像手段２は、キャリブレーション用キャップ２２（カバー）に印刷されたキャリブレーション板及び識別コードを撮影し、静止画の画像データとしてデータ出力手段５０に出力するよう構成される。なお、撮像手段２は撮影した肌画像を動画として出力してもよい。
【００２３】
＜照明手段３＞
照明手段３は、撮影対象となるユーザの肌に対して照明光を照射するよう構成される。照明手段３は、例えば、照明ランプやＬＥＤ照明などである。
【００２４】
＜メモリ４＞
メモリ４は、種々のデータを記憶可能に構成された揮発性メモリまたは不揮発性メモリにより構成される。メモリ４は、撮像手段２で撮影された肌画像のデータ、キャリブレーション板の画像データ、及び識別コードの画像データを記憶する。
【００２５】
＜演算処理手段５＞
演算処理手段５は、撮像手段２、照明手段３、及びメモリ４を制御する各種機能を備えるよう構成される。演算処理手段５は、図２に示されるように、データ出力手段５０、撮影条件設定手段５１、及びキャリブレーション手段５２としての機能を含むよう構成される。
【００２６】
＜データ出力手段５０＞
データ出力手段５０は、撮像手段２が撮影した肌画像の画像データ、及び識別コードのデータを、診断依頼端末６に対して出力する機能を備えるよう構成される。このとき、データ出力手段５０は、識別コードの画像データに対する画像処理を行うことで識別コードのデータを取得する。データ出力手段５０は、下記の撮影条件設定手段で設定された撮影条件を、これらの画像データに付加して出力することもできる。
【００２７】
＜撮影条件設定手段５１＞
撮影条件設定手段５１は、撮像手段２及び照明手段３による撮影条件を設定する機能を備えるよう構成される。
【００２８】
＜キャリブレーション手段５２＞
キャリブレーション手段５２は、撮像手段２から入力されたキャリブレーション板の画像データに基づいて、撮像手段２のキャリブレーションを行うよう構成される。
【００２９】
＜診断依頼端末６＞
診断依頼端末６は、ＰＣ（Ｐｅｒｓｏｎａｌ  Ｃｏｍｐｕｔｅｒ、いわゆるパソコン）などの情報処理装置（端末）であって、肌画像撮影装置１から入力された肌画像の画像データ、及び識別コードの画像データを、ネットワークＮを介してネットワークサーバー１０に送信するよう構成される。また、診断依頼端末６は、ネットワークサーバー１０から、ネットワークＮを介して受信した識別コードに基づく認証結果、及び肌画像の画像データに基づく診断結果を受信するよう構成される。診断依頼端末６は、受信した認証結果及び診断結果に基づいて、所定の画像を表示手段６０に表示させるよう構成される。
【００３０】
＜表示手段６０＞
表示手段６０は、液晶ディスプレイなどの表示装置であって、診断依頼端末６の制御により、所定の画像をユーザに視認可能な状態で表示するよう構成される。
【００３１】
＜ネットワークＮ＞
ネットワークＮは、インターネットなどのネットワーク回線であって、診断依頼端末６とネットワークサーバー１０との間におけるデータの送受信に介在する。
【００３２】
＜ネットワークサーバー１０＞
図３は、本実施形態のネットワークサーバー１０の機能を説明するブロック図である。図３に示されるように、ネットワークサーバー１０は、受送信部１０１、認証部１０２、及び肌画像処理部１０３などを含んで構成される。ネットワークサーバー１０は、肌診断のカウンセラー側に配置されるサーバー型のコンピュータなどである。
【００３３】
＜受送信部１０１＞
受送信部１０１は、ネットワークＮを介して、ネットワークサーバー１０と診断依頼端末６（肌画像撮影装置１）との間のデータの送受信を実行するよう構成される。すなわち、受送信部１０１は、診断依頼端末６からデータを受信し、診断依頼端末６に対してデータを送信するよう構成される。特に本実施形態では、受送信部１０１は、肌画像撮影装置１から、診断依頼端末６を介して、肌画像の画像データ、及び識別コードのデータを受信し、肌画像撮影装置１に対して、診断依頼端末６を介して、肌画像に基づく診断結果、及び識別コードに基づく認証結果を送信する。
【００３４】
＜認証部１０２＞
認証部１０２は、受送信部１０１が診断依頼端末６から受信した識別コードに基づいて認証を行い、肌画像を送信してくる診断依頼端末６に接続された肌画像撮影装置１が、適切に登録された、一定の質の肌画像データを送信可能な肌画像撮影装置であるか否かを判定する。認証部１０２は、認証結果を、受送信部１０１から診断依頼端末６に対して送信させる。
【００３５】
＜肌画像処理部１０３＞
肌画像処理部１０３は、受送信部１０１が診断依頼端末６から受信した肌画像データに基づいて、肌の状態に関する診断（肌診断）を行い、診断結果（肌画像処理データ）を診断依頼端末６に対して送信する。
【００３６】
＜撮像手段２及びキャリブレーション用キャップ２２＞
ここで、撮像手段２の構成、及びキャリブレーション用キャップ２２の構成について具体的に説明する。
【００３７】
図４は、撮像手段２の構成例を示す図である。撮像手段２には、レンズ２１が含まれており、レンズ２１をキャリブレーション用キャップ２２が覆うように取り付けられた状態で、肌画像撮影装置１のキャリブレーションが行われる。キャリブレーション用キャップ２２の内側部分２３には、キャリブレーション板２３１及び識別コード２３２が印刷されている。キャリブレーション用キャップ２２は、撮像手段２に対して着脱可能である。なお、キャリブレーション用キャップ２２は、撮像手段２に予め取り付けられて、必要に応じてレンズ２１の前面に対して出し入れ可能に設けられていてもよい。
【００３８】
図５は、キャリブレーション用キャップ２２の内側部分２３に、印刷により形成された、キャリブレーション板２３１及び識別コード２３２を示す図である。キャリブレーション板２３１には、撮像手段２のキャリブレーションのための画像が印刷されている。識別コード２３２は、肌画像撮影装置１を識別するために割り振られたコードであり、バーコードまたは２次元コードなどで示される。キャリブレーション用キャップ２２の内側部分２３のキャリブレーション板２３１及び識別コード２３２は、肌画像を撮像する際に撮像対象となる肌の位置とほぼ同じ位置に配置されている。そのため、撮像対象となる肌と、キャリブレーション板２３１及び識別コード２３２とは同じフォーカス位置での処理が可能となる。
【００３９】
＜（２）動作例＞
次に、本実施形態の肌診断システムにおける肌診断処理の動作について、具体的に説明する。以下の説明では、最初に肌画像撮影装置１における動作について説明し、次にネットワークサーバー１０における動作について説明する。
【００４０】
＜肌画像撮影装置１の動作＞
図６は、肌画像撮影装置１における肌診断処理の具体例を示すフローチャートである。
【００４１】
＜Ｓ７００〜Ｓ７３０＞
ユーザが肌画像撮影装置１を操作して、肌診断処理を開始すると（Ｓ７００）、最初に、撮影装置のキャリブレーションが行われる（Ｓ７１０）。このとき、撮像手段２にはキャリブレーション用キャップ２２が装着される。撮像手段２は、キャリブレーション用キャップ２２の内側部分２３に印刷されたキャリブレーション板２３１及び識別コード２３２を読み取る（Ｓ７２０）。キャリブレーション手段５２は、撮像手段２により撮像されたキャリブレーション板２３１の画像データに基づいてキャリブレーションを行う。データ出力手段５０は、撮像手段２により撮像された識別コード２３２の情報を、診断依頼端末６及びネットワークＮを介して、ネットワークサーバー１０に送信する（Ｓ７３０）。
【００４２】
＜Ｓ７４０＞
次に、肌画像撮影装置１は、識別コード２３２の情報に応答してネットワークサーバー１０から送信された認証結果を受信し、この肌画像撮影装置１が登録済みの装置であるか否かを判定する（Ｓ７４０）。
【００４３】
＜Ｓ７５０、Ｓ７８０＞
肌画像撮影装置１が登録されていない装置であり、認証に失敗した場合（Ｓ７４０でＮ）、診断依頼端末６は、表示手段６０にエラーメッセージを表示する（Ｓ７５０）。ここでのエラーメッセージは、「登録された肌画像撮影装置ではないため使用できません」などのメッセージとなる。表示手段６０にエラーメッセージが表示されたら、肌画像撮影装置１における肌診断処理は終了する（Ｓ７８０）。
【００４４】
＜Ｓ７６０＞
肌画像撮影装置１が登録済みの装置であり、認証に成功した場合（Ｓ７４０でＹ）、肌画像撮影装置１のデータ出力手段５０は、ユーザにより撮像されたユーザの肌画像の画像データ、及びカウンセリング受診ＩＤを、診断依頼端末６及びネットワークＮを介して、ネットワークサーバー１０に送信する（Ｓ７６０）。ここで、カウンセリング受診ＩＤは、例えば肌画像撮影装置１の購入時に受け取る保証書などに記載されたユニークな情報であって、ユーザにより診断依頼端末６に入力されるものである。または、カウンセリング受診ＩＤは、肌画像撮影装置１のメモリ４に記憶されていてもよい。
【００４５】
＜Ｓ７７０、Ｓ７８０＞
そして、肌画像撮影装置１は、送信した画像データに基づいてネットワークサーバー１０で処理された診断処理を受信する（Ｓ７７０）。受信された診断結果は、診断依頼端末６によって表示手段６０に表示される。そして、肌画像撮影装置１における肌診断処理は終了する（Ｓ７８０）。
【００４６】
上記のような処理により、肌画像撮影装置１では、キャリブレーション用キャップ２２に印刷された識別コードによる認証が行われた後に、肌画像の画像データがネットワークサーバー１０に対して送信される。
【００４７】
＜ネットワークサーバー１０の動作＞
図７は、ネットワークサーバー１０における肌診断処理の具体例を示すフローチャートである。
【００４８】
＜Ｓ８００〜Ｓ８４０＞
ネットワークサーバー１０の受送信部１０１が肌画像撮影装置１から、診断依頼端末６及びネットワークＮを介して識別コードを受信すると（Ｓ８３０）、認証部１０２は、受信した識別コードが予め登録された装置の識別コードであるか否かを判定することで認証を行う（Ｓ８４０）。
【００４９】
＜Ｓ８５０、Ｓ８８０＞
受信した識別コードが登録済みの装置の識別コードではなく、認証に失敗した場合（Ｓ８４０でＮ）、認証部１０２は、受送信部１０１から肌画像撮影装置１に対して、認証に失敗したことを示すデータ、及びエラーメッセージを送信する（Ｓ８５０）。そして、ネットワークサーバー１０は肌診断処理を終了する（Ｓ８８０）。
【００５０】
＜Ｓ８６０＞
受信した識別コードが登録済みの装置の識別コードであり、認証に成功した場合（Ｓ８４０でＹ）、認証部１０２は、肌画像撮影装置１に対して、肌画像の画像データ及びカウンセリング受診ＩＤの送信を要求し、これらの情報を受信する（Ｓ８６０）。
【００５１】
＜Ｓ８６１＞
次に、ネットワークサーバー１０の肌画像処理部１０３は、受信した肌画像の画像データに基づいて画像処理を行い、肌診断結果（肌画像処理データ）を生成する（Ｓ８６１）。
【００５２】
＜Ｓ８７０＞
次に、肌画像処理部１０３は、受送信部１０１から肌画像撮影装置１に対して診断結果を送信させる。
【００５３】
上記のような処理により、ネットワークサーバー１０では、肌画像撮影装置１のキャリブレーション用キャップ２２に印刷された識別コードによる認証を行った後に、肌画像の画像データに基づく診断を行い、診断結果を肌画像撮影装置１に対して送信する。
【００５４】
以上、本実施形態のような構成の肌画像撮影装置１では、カウンセラー（診断者）側に配置されたネットワークサーバー１０に対して識別コード２３２の情報を送信して認証を行った後に、肌画像の画像データを送信している。これにより、ネットワークサーバー１０では、識別コード２３２により特定される識別情報を確認して、使用された肌画像撮像装置が一定の質の肌画像データを送信可能な肌画像撮像装置であるか否かを判定した上で、画像データを取得して適切な肌診断を行うことが可能となる。
【００５５】
また、上記のような構成の肌画像撮影装置１では、撮像手段２のレンズ位置から、肌の画像を取得する際と同じ距離に識別コード２３２が配されるため、同じフォーカス位置に、撮像対象の肌と識別コード２３２とが位置することとなる。これにより、本実施形態の肌画像撮影装置１では、簡易な処理により、肌の画像と識別コード２３２とを撮像することができる。
【００５６】
また、上記のような構成の肌画像撮影装置１では、キャリブレーション用キャップ２２にキャリブレーション板２３１が含まれているため、キャリブレーションを行うのと同時に、識別コード２３２を撮像して送信することが可能となる。
【００５７】
一方、上記のような構成のネットワークサーバー１０では、肌画像撮影装置１から肌画像の画像データ及び識別コード２３２を受信している。これにより、このネットワークサーバー１０では、識別コード２３２により特定される識別情報を確認して、使用された肌画像撮影装置１が一定の質の肌画像データを送信可能な肌画像撮影装置１であるか否かを判定した上で、画像データを取得して適切な肌診断を行うことが可能となる。
【００５８】
＜２．実施形態２＞
次に、本発明の実施形態２について、図８〜図１１を参照しながら説明する。実施形態１と比較して、本実施形態の肌画像撮影装置では、識別コードが、紫外線が照射されることで視認及び撮像可能なものに置換されている点で相違する。そして、肌画像撮影装置が、紫外線照射手段を備えている。以下、本実施形態が実施形態１と比較して相違する部分を中心に説明するが、実施形態１と同様の部分についてはその説明を省略する。
【００５９】
図８は、本実施形態の肌画像撮影装置１の構成例を示すブロック図である。図１に示された実施形態１の構成と比較すると、図８に示す本実施形態の肌画像撮影装置１は、紫外線照射手段７をさらに備える点で相違する。
【００６０】
＜紫外線照射手段７＞
紫外線照射手段７は、撮影対象となるユーザの肌に対して紫外線を照射するよう構成される。このように、対象者の肌に対して紫外線を照射しながら撮影し、撮影された画像のポリフィリンを観察することで、対象者の肌年齢の診断などが可能となる。
【００６１】
＜キャリブレーション用キャップ２２＞
キャリブレーション用キャップ２２には、実施形態１と同様に、その内側部分２３には、キャリブレーション板２３１及び識別コード２３２が印刷されている。
【００６２】
図９は、紫外線が照射されていない状態のキャリブレーション板２３１及び識別コード２３２Ａを示す図である。図１０は、紫外線が照射された状態のキャリブレーション板２３１及び識別コード２３２を示す図である。図９及び図１０に示されるように、キャリブレーション用キャップ２２では、紫外線が照射されているときだけ識別コード２３２が視認可能（すなわち撮像可能）な状態となり、紫外線が照射されていないときには視認不能（すなわち撮像不能）な状態となる。このような識別コード２３２は、一般的に市販されている蛍光材による印刷などで実現可能である。
【００６３】
図１１は、本実施形態の肌診断システムにおける肌診断処理の具体例を示すフローチャートである。実施形態１の処理と比較すると、識別コードの読み取りの際に紫外線を照射する処理が加えられている点で相違する（Ｓ７２１参照）。
【００６４】
すなわち、本実施形態における肌診断処理では、撮像装置のキャリブレーションの際、紫外線照射手段７によりキャリブレーション用キャップ２２の内側部分２３に紫外線を照射しながら、撮像手段２がキャリブレーション板２３１及び識別コード２３２の読み取りを行う（Ｓ７２１）。そして、撮像された画像データは、ネットワークサーバー１０に送信される（Ｓ７３０）。ネットワークサーバー１０での処理については、実施形態１と同様の処理を採用可能である。
【００６５】
上記のような構成の肌画像撮影装置１では、通常状態では視認できず、紫外線を照射することで視認可能となる識別コード２３２を備えている。これにより、紫外線を照射することなく識別コード２３２を確認することができなくなり、セキュリティ性を向上させることなどが可能となる。
【００６６】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６７】
上記実施形態では、肌画像撮影装置１と、診断依頼端末６とは、別々の装置であるとして説明したが、これらの装置は一つの装置で構成されてもよい。
【００６８】
また、上記実施形態では、撮像手段２のキャップはキャリブレーション用キャップ２２である例を説明したが、撮像手段２のキャップには必ずしもキャリブレーション板２３１が含まれる必要はない。すなわち、撮像手段２のキャップが、認証のための識別コード２３２のみが印刷されたキャップであってもよい。
【００６９】
また、上記実施形態では、キャリブレーション用キャップ２２にキャリブレーション板２３１及び識別コード２３２が印刷されている例について説明したが、キャリブレーション板２３１及び識別コード２３２は必ずしも印刷されている必要はなく、印刷物の貼り付けなどの別の方法で形成されてもよい。
【００７０】
また、上記実施形態では、肌画像撮影装置１は、識別コードのデータを送信して認証が行われた後に肌画像の画像データを送信していたが、必ずしもこの順序に限定されるものではない。すなわち、識別コードによる認証が完了する前に肌画像の画像データを送信してもよい。ただし、識別コードによる認証が行われた後に画像データを送信すると、ネットワーク負荷や、各装置の処理負荷を軽減することができるため好ましい。
【産業上の利用可能性】
【００７１】
本発明は、肌画像撮像装置などに好適に適用される。
【符号の説明】
【００７２】
１…肌画像撮影装置
２…撮像手段
３…照明手段
４…メモリ
５…演算処理手段
６…診断依頼端末
７…紫外線照射手段
１０…ネットワークサーバー
２１…レンズ
２２…キャリブレーション用キャップ
２３…キャリブレーション用キャップの内側部分
２３１…キャリブレーション板
２３２…識別コード
５０…データ出力手段
５１…撮影条件設定手段
５２…キャリブレーション手段
６０…表示手段
１０１…受送信部
１０２…認証部
１０３…肌画像処理部
Ｎ…ネットワーク
【図１】
2016221238.tif 000003
【図２】
2016221238.tif 000004
【図３】
2016221238.tif 000005
【図４】
2016221238.tif 000006
【図５】
2016221238.tif 000007
【図６】
2016221238.tif 000008
【図７】
2016221238.tif 000009
【図８】
2016221238.tif 000010
【図９】
2016221238.tif 000011
【図１０】
2016221238.tif 000012
【図１１】
2016221238.tif 000013